(57)【要約】      （修正有）【課題】中空壁板と中空辺板の応力構造を強化し、中空壁板、中空辺板が押圧された時、変形破損しにくく、良好な構造強度を達成する折箱の強化構造を提供する。【解決手段】折箱の強化構造の該折箱は紙板が一体で折畳固定して構成し、底板１０、底板周囲でそれぞれ直立させる二中空壁板２０ａ及び二中空辺板２０ｂを含む。そのうち、各中空壁板、中空辺板は、底板辺縁から延び続いて内向きに折曲する外側壁片２１、最上片２２、内側壁片２３、及び下底片２４をそれぞれ含む。該最上片と下底片の幅は同じであり、且つ該下底片は外側壁片向きに折曲した後、その辺縁を外側壁片底縁に当てる。該下底片の底面は底板上に固定する。中空壁板、中空辺板が紙板を折った後、安定して固定する。【選択図】図３
0003215977.tif 000002
【実用新案登録請求の範囲】
【請求項１】
紙板が一体で折畳固定する折箱の強化構造において、
該折箱は、底板、底板の前後両側でそれぞれ直立させる二中空壁板、及び底板左右両側でそれぞれ直立させる二中空辺板を含み、各中空壁板と中空辺板の内側はそれぞれ中空部を備え、そのうち、各中空壁板、中空辺板は、底板の辺縁に直立させる外側壁片、外側壁片最上縁に連接して底板中央に向けて折曲する最上片、最上片辺縁から底板向きに折曲する内側壁片、及び内側壁片底縁で連接する下底片をそれぞれ含み、該下底片の幅は最上片と同じで、且つ下底片は外側壁片向きに折曲した後、その辺縁を外側壁片底縁に当て、該下底片の底面は底板上に固定し、それは即ち外側壁片、最上片、内側壁片、下底片の間に該中空部を形成することを特徴とする折箱の強化構造。
【請求項２】
前記二中空辺板の外側壁片の両側辺縁は連接片をそれぞれ設置し、該連接片は斜め折線を備え、更に該斜め折線に沿って内向きに折り合わせた後外側面を隣接する中空壁板の外側壁片上に固定することで、運送時は該斜め折線によって連接片を半分に折ることによって折箱が扁平に折り合わさることを特徴とする請求項１記載の折箱の強化構造。
【請求項３】
前記中空辺板の内側壁片の両側辺縁は、それぞれ相互に隣接する中空壁板の中空部に挿入する補助定位片が延びて設置することを特徴とする請求項１記載の折箱の強化構造。
【請求項４】
前記中空壁板の内側壁片の両側辺縁は、突出した掛合凸片をそれぞれ設置し、二中空辺板の内側壁片の両側辺縁は、該掛合凸片を定位するための掛合切線をそれぞれ設置することを特徴とする請求項１記載の折箱の強化構造。
【請求項５】
前記二中空壁板の二内側壁片長さは、二中空辺板の二内側壁片の間の距離よりも同じか、もしくは小さいことを特徴とする請求項１記載の折箱の強化構造。
【考案の詳細な説明】
【技術分野】
【０００１】
本考案は、折箱の強化構造に関するもので、紙板が一体で折畳固定して構成し、中空壁板と中空辺板の応力構造を強化し、更に折箱全体の構造強度を向上させる。
【背景技術】
【０００２】
折箱は、製品の質感を引き立てる他に、更に製品を保護し、運送を便利にする機能を備える。図１、２に示すとおり、公知折箱は、底板１００、底板１００前後両側でそれぞれ直立させる二中空壁板１０１、及び底板１００左右両側でそれぞれ直立させる二中空辺板１０２を含む。各中空壁板１０１、中空辺板１０２は、それぞれ底板１００の辺縁で直立する外側壁片１０３、外側壁片１０３最上縁を連接して底板１００中央に向けて折曲する最上片１０４、最上片１０４の辺縁から底板１００に向けて折曲する内側壁片１０５、及び内側壁片１０５の底縁で連接する下定位片１０６を含む。該下定位片１０６は、底板１００中央に向けて折曲した後、底板１００上で固定し、折箱の組立が完了する。
【０００３】
商習慣に基づき、折箱は、通常先ず扁平状の半折組状態にして販売先に送られるのを待つ。次にユーザーが立体状態に組み立てて製品を包装する。故に二中空辺板１０２の外側壁片１０３の両側辺縁に連接片１０７をそれぞれ設置する。該連接片１０７は斜め折線１０８を備え、且つ該連接片１０７の内側面は相互に隣接する中空壁板１０１の外側壁片１０３上に固定する。運送時には折箱を扁平状にして、組立時には該斜め折線１０８によって連接片１０７を半分に折り、二中空壁板１０１の外側壁片１０３を引いて折曲し、上向きに直立させると、組立折箱は立体状態を形成され、製品が包装納置される。
【０００４】
上述の折箱構造は普及して長いが、本考案者は以下の点に気づいた。下定位片１０６は底板１００中央に向けて折曲した後底板上で固定するが、中空壁板１０１、中空辺板１０２は押圧されると変形しやすく、構造強度が不足している。更に折箱は半折組状態で組み立てた時、各連接片１０７は斜め折線１０８に沿って折ると、反発する方向と中空壁板１０１の外側壁片１０３折曲の方向が相反するため、ユーザーが折箱を組み立てた時、反発して緩み易い。特に紙板が厚ければ厚いほど、連接片を折曲した後の反発力は更に大きくなり、ユーザーが折箱を組み立てる速度に影響を与える。
【０００５】
更に折箱は複数層の紙板を折り合わせる。紙材の厚みを高めて構造強度を向上させるものがある（例として特許文献１、２、３、４参照）。
【先行技術文献】
【特許文献】
【０００６】
【特許文献１】台湾実用新案登録第ＣＮ２０５８９１５００号
【特許文献２】台湾実用新案登録第Ｍ５１７７２５号
【特許文献３】台湾実用新案登録第Ｍ５３８４９０号
【特許文献４】台湾実用新案登録第Ｉ５４００８５号
【考案の概要】
【考案が解決しようとする課題】
【０００７】
解決しようとする問題点として、これら公知技術は該連接片を半分に折った時の反発問題はないが、製造過程において何層も折り合わせなければならず、組立ステップが複雑になり、組立時間がかかる。拠って、如何にして公知の折箱の中空壁板、中空辺板構造の強度不足、及び折箱の組立時の連接片が反発して緩む問題を改善するかを本考案者が解決する課題とする。
【課題を解決するための手段】
【０００８】
該折箱は、紙板が一体で折畳固定して構成し、中空壁板と中空辺板の応力構造を強化し、更にスピエーディに組み立てることができ、組立時に反発して緩むのを防止する折箱の強化構造を提供することを本考案の目的とする。
【０００９】
上述の目的を達成するため、本考案は、折箱の強化構造を提供する。該折箱紙板が一体で折畳固定して構成し、底板、底板の前後両側でそれぞれ直立させる二中空壁板、及び底板左右両側でそれぞれ直立させる二中空辺板を含む。各中空壁板と中空辺板の内側はそれぞれ中空部を備える。そのうち、各中空壁板、中空辺板は、それぞれ底板の辺縁に直立させる外側壁片、外側壁片最上縁に連接して底板中央に向けて折曲する最上片、最上片辺縁から底板向きに折曲する内側壁片、及び内側壁片底縁で連接する下底片を含む。該下底片の幅は最上片と同じで、且つ下底片は外側壁片向きに折曲した後、その辺縁を外側壁片の底縁に当てる。該下底片の底面は底板上に固定し、それは即ち外側壁片、最上片、内側壁片、下底片の間に該中空部を形成する。
【００１０】
上述構造によって、各中空壁板、中空辺板の下底片辺縁は対応する外側壁片に当てる。その底面は底板上に固定し、中空壁板、中空辺板を紙板折畳すると、安定して固定し、中空壁板と中空辺板の応力構造を強化し、中空壁板、中空辺板が押圧された時、変形破損しにくく、公知折箱と比較して更に強化された構造強度を備える。
【００１１】
以下は各部品の実施方式である。
【００１２】
実施時、該二中空辺板の外側壁片の両側辺縁は、連接片をそれぞれ設置する。該連接片は斜め折線を備え、更に該斜め折線に沿って内向きに折り合わせた後外側面で隣接する中空壁板の外側壁片上に固定する。それによって運送時は該斜め折線によって連接片を半分に折って折箱を扁平にする。更に折箱を組み立てる時、各連接片が斜め折線に沿って展開し対応する外側壁片の内側面に重畳する。連接片は折り畳んで反発する方向が、ちょうど外側壁片が折曲する方向と同じであるため、公知の折箱を組み立てる時、連接片が反発して緩むという欠点を改善し、ユーザーはスピーディに折箱を組み立てることができる。
【００１３】
実施時、二中空辺板の内側壁片の両側辺縁は、相互に隣接する中空壁板の中空部に挿入する補助定位片をそれぞれ設置する。
【００１４】
実施時、二中空壁板の内側壁片の両側辺縁は、突出した掛合凸片をそれぞれ設置し、二中空辺板の内側壁片の両側辺縁は、該掛合凸片を定位するための掛合切線をそれぞれ設置する。
【００１５】
実施時、二中空壁板の二内側壁片は、長さが二中空辺板の二内側壁片の間の距離と比較して同じか、もしくは短い。
【考案の効果】
【００１６】
従前の技術と比較して、本考案は以下の長所を備える。
【００１７】
各中空壁板、中空辺板の下底片辺縁は対応する外側壁片に当てる。その底面は底板上に固定し、中空壁板と中空辺板の応力構造を強化し、中空壁板、中空辺板が押圧された時、変形破損しにくく、公知折箱と比較して更に強化された構造強度を備える。
【００１８】
折箱組立時、各連接片は斜め折線に沿って展開し対応する外側壁片の内側面に重畳する。また連接片は折畳して反発する方向がちょうど外側壁片と折曲する方向と同じであるため、公知折箱を組み立てた時、連接片が反発して緩んでしまう欠点を改善し、ユーザーはスピーディに折箱を組み立てる。
【００１９】
以下は本考案の技術手段に基づいた実施方式を図式を挙げて説明したものである。
【図面の簡単な説明】
【００２０】
【図１】公知折箱の立体外観図である。
【図２】公知折箱の組立過程の指示図である。
【図３】本考案の立体外観図である。
【図４】本考案の中空辺板の断面指示図である。
【図５】本考案の折箱を扁平状に折合わせた指示図である。
【図６】本考案の折箱の中空辺板が扁平状に折合わせた断面指示図である。
【図７】本考案の折箱の扁平状から組み立てる過程指示図である。
【図８】本考案の展開平面図である。
【考案を実施するための形態】
【００２１】
図３、４に示すのは、本考案の折箱の強化構造であり、それは底板１０、底板１０前後両側にそれぞれ直立させる二中空壁板２０ａ、及び底板１０左右両側にそれぞれ直立させる二中空辺板２０ｂを含み、各中空壁板２０ａと中空辺板２０ｂの内側はそれぞれ中空部２０１を備える。
【００２２】
各中空壁板２０ａ、中空辺板２０ｂは、それぞれ底板１０の辺縁に直立させる外側壁片２１、外側壁片２１最上縁に連接して底板１０中央に向けて折曲する最上片２２、最上片２２辺縁から底板１０向きに折曲する内側壁片２３、及び内側壁片２３底縁で連接する下底片２４を含む。該下底片２４の幅は最上片２２と同じで、且つ下底片２４は外側壁片２１向きに折曲した後、その辺縁を外側壁片２１底縁に当てる。該下底片２４の底面は底板１０上に固定し、それは即ち外側壁片２１、最上片２２、内側壁片２３、下底片２４の間に該中空部２０１を形成する。
【００２３】
上述の構造により、各中空壁板２０ａ、中空辺板２０ｂの下底片２４辺縁は対応する外側壁片２１に当てる。その底面は底板１０上に固定し、中空壁板２０ａ、中空辺板２０ｂが紙板を折った後安定して固定し、中空壁板２０ａと中空辺板２０ｂの応力構造を強化し、中空壁板２０ａ、中空辺板２０ｂが押圧された時、変形破損しにくく、公知折箱と比較して更に強化された構造強度を備える。図４は中空辺板２０ｂを例として説明しており、中空部２０１及び下底片２４は外側壁片２１に向かって折曲する指示図である。
【００２４】
図５、６に示すとおり、該二中空辺板２０ｂの外側壁片２１の両側辺縁は、それぞれ連接片２５を設置し、該連接片２５は斜め折線２５１を備え、更に該斜め折線２５１に沿って内向きに折り合わせた後外側面を隣接する中空壁板２０ａの外側壁片２１上に固定することで、運送時該斜め折線２５１によって連接片２５を半分に折ることができるので折箱が扁平に折り合わさる。
【００２５】
図に示すとおり、二中空辺板２０ｂは、先ず外側壁片２１、最上片２２、内側壁片２３、及び下底片２４を折曲し、続いて下底片２４を底板１０上に固定する。続いて二中空辺板２０ｂをそれぞれ底板１０中央に向けて折曲し、底板１０上に折り畳むと、折箱は扁平に折り合わさる。
【００２６】
図７に示すとおり、ユーザーが折箱を組み立てる時、二中空辺板２０ｂを底板１０に相対して直接上向きに持ち上げて直立させる。複数の連接片２５がそれぞれ二中空壁板２０ａの外側壁片２１をそれぞれ上に引き上げて直立させ、且つ各連接片２５は斜め折線２５１に沿って展開し、対応する中空壁板２０ａの外側壁片２１内側面に重畳する。続いて二中空壁板２０ａの最上片２２、内側壁片２３を順に折曲して二連接片２５を遮蔽する。最後に下底片２４を外側壁片２１に向けて折り、外側壁片２１底縁に当てると、中空壁板が組み合わさって固定され、二辺板が崩れ落ちるのを防止し、二中空壁板２０ａ及び二中空辺板２０ｂの直立立体状態保ち、製品が包装納置される。
【００２７】
実施時、二中空壁板２０ａの内側壁片２３の両側辺縁は、それぞれ突出した掛合凸片２６を設置する。二中空辺板２０ｂの内側壁片２３の両側辺縁は、それぞれ該掛合凸片２６を定位するための掛合切線２７を設置する。中空壁板２０ａの内側壁片２３を下向きに折畳固定すると、図３に示すとおり、掛合凸片２６と掛合切線２７がその位置を固定することに拠って、折箱の立体状態を維持する。
【００２８】
更に、実施時、二中空辺板２０ｂの内側壁片２３の辺縁は、中空壁板２０ａに相互に隣接する中空部２０１に挿入する補助定位片２３１をそれぞれ設置する。
【００２９】
図８に示すとおり、該折箱紙板が一体で折畳固定して構成し、該紙板上には複数の折線を設置して前述底板１０、複数の外側壁片２１、複数の最上片２２、複数の内側壁片２３、複数の補助定位片２３１、複数の下底片２４、及び複数の連接片２５を区切る。各中空壁板２０ａ、中空辺板２０ｂを展開した時、各外側壁片２１、最上片２２、内側壁片２３、下底片２４は相互に連続して排列する。
【００３０】
実施時、最上片２２は幅を備えるため、二中空壁板２０ａの二内側壁片２３長さは、二中空辺板２０ｂの二内側壁片２３の間の距離と同じか、もしくは小さい。
【００３１】
以上実施例の説明及び図式は、本考案の良好な実施例を挙げて説明したに過ぎず、本考案の請求範囲を制限するものではない。拠って、本考案の目的、構造、装置、特徴等と近似もしくは相互に雷同するものは、すべて本考案の請求範囲に含むものとする。
【符号の説明】
【００３２】
[先前技術]
１００        底板
１０１        中空壁板
１０２        中空辺板
１０３        外側壁片
１０４        最上片
１０５        内側壁片
１０６        下定位片
１０７        連接片
１０８        斜め折線
[本考案]
１０        底板
２０ａ      中空壁板
２０ｂ      中空辺板
２０１        中空部
２１        外側壁片
２２        最上片
２３        内側壁片
２３１        補助定位片
２４        下底片
２５        連接片
２５１        斜め折線
２６        掛合凸片
２７        掛合切線
【図１】
0003215977.tif 000003
【図２】
0003215977.tif 000004
【図３】
0003215977.tif 000005
【図４】
0003215977.tif 000006
【図５】
0003215977.tif 000007
【図６】
0003215977.tif 000008
【図７】
0003215977.tif 000009
【図８】
0003215977.tif 000010